(57)【要約】【課題】遊技機の枠体が、メンテナンス等のために正常に開放されたのか、遊技者等によって不正に開放されたのか、を正確に判別することができる枠体の不正開放検出装置、不正開放検出プログラム及び遊技機を提供すること。【解決手段】この不正開放検出装置５１は、施錠装置１により施錠されたパチンコ機２の枠体４，８，１２が開放されたことを検出する枠体開閉センサ３８と、施錠装置１に鍵３４が挿入されたことを検出する導通センサ５２と、施錠装置１に鍵３４が挿入されていないにもかかわらず枠体４，８，１２が開放された場合に、不正開放を報知する警報ランプ４２とを有する。【選択図】図２
2008125775.tif 000002
【特許請求の範囲】
【請求項１】
施錠装置により施錠された遊技機の枠体が開放されたことを検出する枠体開閉センサと、
前記施錠装置に解錠鍵が挿入されたことを検出する鍵挿入センサと、
前記施錠装置に解錠鍵が挿入されていないにもかかわらず前記枠体が開放された場合に、不正開放を報知する報知部と、を有する枠体の不正開放検出装置。
【請求項２】
前記鍵挿入センサが、前記解錠鍵の挿入により電気的導通を検出する導通センサである請求項１に記載の枠体の不正開放検出装置。
【請求項３】
施錠装置により施錠された遊技機の枠体が開放されたことを検出する枠体開閉センサと、
前記施錠装置が解錠されたことを検出する解錠センサと、
前記施錠装置が解錠されていないにもかかわらず前記枠体が開放された場合に、不正開放を報知する報知部と、を有する枠体の不正開放検出装置。
【請求項４】
前記解錠センサが、前記施錠装置の施錠・解錠時に回転するシリンダの回転を検出する回転センサである請求項３に記載の枠体の不正開放検出装置。
【請求項５】
遊技機全体を囲む筐体枠体と、
遊技媒体による遊技を演出する遊技装置体と、
該遊技装置体を保持し、前記筐体枠体に対して前面開閉可能に揺動支持された第１枠体と、
前記遊技装置体に対して一定距離離間して配置された前面透明板と、
該前面透明板又はその周囲を囲む装飾部材を保持し、前記第１枠体に対して前面開閉可能に揺動支持された第２枠体と、
前記遊技媒体を貯留する貯留皿と、
請求項１から請求項４のうちいずれか１項に記載の枠体の不正開放検出装置と、を有する遊技機。
【請求項６】
コンピュータを、
施錠装置により施錠された遊技機の枠体が開放されたことを検出する枠体開閉検出部、
前記施錠装置に解錠鍵が挿入されたことを検出する鍵挿入検出部、及び、
前記施錠装置が解錠されていないにもかかわらず前記枠体が開放された場合に、不正開放と判断する不正開放判断部、として機能させる枠体の不正開放検出プログラム。
【請求項７】
コンピュータを、
施錠装置により施錠された遊技機の枠体が開放されたことを検出する枠体開閉検出部、
前記施錠装置が解錠されたことを検出する解錠検出部、及び、
前記施錠装置が解錠されていないにもかかわらず前記枠体が開放された場合に、不正開放と判断する不正開放判断部、として機能させる枠体の不正開放検出プログラム。
【発明の詳細な説明】
【技術分野】
【０００１】
本発明は、枠体の不正開放検出装置、不正開放検出プログラム及び遊技機に係り、特に、パチンコ機等の遊技機において、機枠や装飾枠等の枠体が不正解錠により不正に開放されたことを検出する不正開放検出装置等に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。
さらにその機枠の前面には装飾枠が機枠に対して開閉及び施錠可能に配置され、この装飾枠が遊技盤前面の前面透明板やその周囲に配置される各種装飾部材を保持している。この機枠や装飾枠等の核枠体を施錠する施錠装置としては、例えば特許文献１，２に開示のものがある。
【０００５】
このように、パチンコ機は、遊技者の遊技盤に対する不正アクセスが前面からも上下左右側面からも困難となるように構成されている。また、パチンコホールの店員が遊技盤や機枠裏面側の裏機構盤をメンテナンスする必要がある場合には、必要に応じて装飾枠や機枠を解錠開閉し、店員が容易にアクセス可能となるように構成されている。
【０００６】
機枠や装飾枠の開閉を検出するために、従来のパチンコ機においては開閉センサがそれぞれ設けられている。すなわち、筐体枠に対する機枠の開閉を検出するために、機枠開閉センサが設けられ、機枠に対する装飾枠の開閉を検出するために、装飾枠開閉センサが設けられている。
【０００７】
この機枠や装飾枠の開閉検出を開閉センサによって行う構成については、例えば特許文献３に開示のものがある。これによれば、開閉センサによって機枠及び装飾枠の両方の開閉を検出することができる。
【０００８】
このようにパチンコ機は、開閉センサを用いることにより枠体の開閉状態を検出することができるように構成されている。したがって、遊技中にも拘らず開閉センサが枠体の開放を検出した場合は、遊技者が不正に枠体を開放した可能性が高いものと判断することもできるようになっている。
【０００９】
【特許文献１】特開２００６−１３６６１６号公報
【特許文献２】特開２００３−２６５８１６号公報
【特許文献３】特開２００１−３２３７２２号公報
【発明の開示】
【発明が解決しようとする課題】
【００１０】
しかしながら、開閉センサにより枠体の開放状態を検出するのみでは、遊技者による不正な枠体の開放であるのか、メンテナンスのためのパチンコホール店員による枠体の開放であるのか、を正確に判別することができないという問題がある。
【００１１】
ホールの店員がメンテナンスのためにパチンコ機の枠体を開放した場合であっても、その開放を示す信号がそのパチンコ機に接続された管理コンピュータや他の店員に向けて送信されると、遊技者による不正開放であると誤認識されてしまう場合があった。そのため、正常なメンテナンス作業のための枠体開放であるのに不正開放と誤認識し、店員が慌ててパチンコ機に駆けつけてしまったり、遊技者に不当な疑義を生じてしまう場合があった。
【００１２】
本発明は上記の事情に鑑みて為されたもので、遊技機の枠体が、メンテナンス等のために正常に開放されたのか、遊技者等によって不正に開放されたのか、を正確に判別することができる枠体の不正開放検出装置、不正開放検出プログラム及び遊技機を提供することを例示的課題とする。
【課題を解決するための手段】
【００１３】
上記の課題を解決するために、本発明の例示的側面としての枠体の不正開放検出装置は、施錠装置により施錠された遊技機の枠体が開放されたことを検出する枠体開閉センサと、施錠装置に解錠鍵が挿入されたことを検出する鍵挿入センサと、施錠装置に解錠鍵が挿入されていないにもかかわらず枠体が開放された場合に、不正開放を報知する報知部とを有する。
【００１４】
枠体開閉センサによって遊技機の枠体が開放されたことが検出された場合であって、かつ鍵挿入センサによって施錠装置に解錠鍵が挿入されていないことが検出された場合にのみ報知部が不正開放を報知する。したがって、メンテナンス等の際に解錠鍵が挿入されて枠体が正常に開放された場合と、施錠装置に解錠鍵が挿入されずに枠体が不正に開放された場合とを正確に判別することができる。ホール店員が、正常開放を不正開放と誤認識することがないので、正常開放にも拘らず店員が慌ててパチンコ機に駆けつけてしまったり、遊技者に不当な疑義を生じてしまう虞がない。したがって、店員の手間の削減に寄与することができ、遊技者も安心して遊技を行うことができる。
【００１５】
鍵挿入センサが、解錠鍵の挿入により電気的導通を検出する導通センサであってもよい。解錠鍵が施錠装置に挿入されたことを導通センサによって検出するので、低コストかつ確実容易に解錠鍵の挿入を検出することができる。
【００１６】
本発明の他の例示的側面としての枠体の不正開放検出装置は、施錠装置により施錠された遊技機の枠体が開放されたことを検出する枠体開閉センサと、施錠装置が解錠されたことを検出する解錠センサと、施錠装置が解錠されていないにもかかわらず枠体が開放された場合に、不正開放を報知する報知部とを有する。
【００１７】
枠体開閉センサによって遊技機の枠体が開放されたことが検出された場合であって、かつ解錠センサによって施錠装置が解錠されていないことが検出された場合にのみ報知部が不正開放を報知する。したがって、メンテナンス等の際に施錠装置が解錠されて枠体が正常に開放された場合と、施錠装置が解錠されずに枠体が不正に開放された場合とを正確に判別することができる。ホール店員が、正常開放を不正開放と誤認識することがないので、正常開放にも拘らず店員が慌ててパチンコ機に駆けつけてしまったり、遊技者に不当な疑義を生じてしまう虞がない。したがって、店員の手間の削減に寄与することができ、遊技者も安心して遊技を行うことができる。
【００１８】
解錠センサが、施錠装置の施錠・解錠時に回転するシリンダの回転を検出する回転センサであってもよい。一般に、施錠装置はシリンダの回転によって施錠・解錠操作を行う。したがって、その回転センサによってそのシリンダの回転を検出することにより、確実容易に施錠装置の解錠を検出することができる。例えば、その回転センサは、フォトインタラプタと回転位置によってそのフォトインタラプタの検出光を透光遮光する切欠カムとによって構成されていてもよいし、マイクロスイッチと回転によってそのマイクロスイッチをオンオフする回転カムとによって構成されていてもよい。
【００１９】
本発明のさらに他の例示的側面としての遊技機は、遊技機全体を囲む筐体枠体と、遊技媒体による遊技を演出する遊技装置体と、遊技装置体を保持し、筐体枠体に対して前面開閉可能に揺動支持された第１枠体と、遊技装置体に対して一定距離離間して配置された前面透明板と、前面透明板又はその周囲を囲む装飾部材を保持し、第１枠体に対して前面開閉可能に揺動支持された第２枠体と、遊技媒体を貯留する貯留皿と、上記した枠体の不正開放検出装置とを有する。
【００２０】
この遊技機によれば、メンテナンス等によって枠体が正常に開放された場合と、遊技者等によって枠体が不正に開放された場合とを正確に判別することができる。ホール店員が、正常開放を不正開放と誤認識することがないので、正常開放にも拘らず店員が慌ててパチンコ機に駆けつけてしまったり、遊技者に不当な疑義を生じてしまう虞がない。したがって、店員の手間の削減に寄与することができ、遊技者も安心して遊技を行うことができる。
【００２１】
本発明のさらに他の例示的側面としての枠体の不正開放検出プログラムは、コンピュータを、施錠装置により施錠された遊技機の枠体が開放されたことを検出する枠体開閉検出部、施錠装置に解錠鍵が挿入されたことを検出する鍵挿入検出部、及び、施錠装置が解錠されていないにもかかわらず枠体が開放された場合に不正開放と判断する不正開放判断部、として機能させる。
【００２２】
枠体開閉検出部によって遊技機の枠体が開放されたことが検出された場合であって、かつ鍵挿入検出部によって施錠装置に解錠鍵が挿入されていないことが検出された場合にのみ不正開放判断部が不正開放と判断する。したがって、メンテナンス等の際に解錠鍵が挿入されて枠体が正常に開放された場合と、施錠装置に解錠鍵が挿入されずに枠体が不正に開放された場合とを正確に判別することができる。
【００２３】
本発明のさらに他の例示的側面としての枠体の不正開放検出プログラムは、コンピュータを、施錠装置により施錠された遊技機の枠体が開放されたことを検出する枠体開閉検出部、施錠装置が解錠されたことを検出する解錠検出部、及び、施錠装置が解錠されていないにもかかわらず枠体が開放された場合に、不正開放と判断する不正開放判断部、として機能させる。
【００２４】
枠体開閉検出部によって遊技機の枠体が開放されたことが検出された場合であって、かつ解錠検出部によって施錠装置が解錠されていないことが検出された場合にのみ不正開放判断部が不正開放を報知する。したがって、メンテナンス等の際に施錠装置が解錠されて枠体が正常に開放された場合と、施錠装置が解錠されずに枠体が不正に開放された場合とを正確に判別することができる。
【００２５】
本発明の更なる目的又はその他の特徴は、以下添付図面を参照して説明される好ましい実施の形態によって明らかにされるであろう。
【発明の効果】
【００２６】
本発明によれば、遊技機の枠体が、メンテナンス等のために正常に開放されたのか、遊技者等によって不正に開放されたのか、を正確に判別することができるので、ホール店員が、正常開放を不正開放と誤認識することがなく、正常開放にも拘らず店員が慌ててパチンコ機に駆けつけてしまったり、遊技者に不当な疑義を生じてしまう虞がない。したがって、店員の手間の削減に寄与することができ、遊技者も安心して遊技を行うことができる。
【発明を実施するための最良の形態】
【００２７】
［実施の形態１］
以下、本発明の実施の形態１について図面を用いて説明する。図１は、本発明の実施の形態１に係る枠体の不正開放検出装置を有する遊技機としてのパチンコ機２の外観を示す外観斜視図である。パチンコ機２は、筐体枠（筐体枠体）４、遊技盤（遊技装置体）６、機枠（第１枠体）８、前面透明板１０、装飾枠（第２枠体）１２、上皿（貯留皿）１４、施錠装置１、不正開放検出装置３（図２も参照。）を有して構成されている。パチンコ機２は、さらに、球発射装置（図示せず。）、発射ハンドル１６を有している。
【００２８】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００２９】
筐体枠４は、このパチンコ機２全体を囲むための枠体であり、平面視略長方形に構成されている。材料としては、木材が用いられることが多いが、他に樹脂やアルミ等の金属が用いられることもある。筐体枠４は、パチンコ機２全体の上下面及び左右側面を囲い、前面（すなわち、遊技者側）から見て左側面側には機枠８及び装飾枠１２を揺動支持するためのヒンジ部（揺動支持部）１８が設けられている。
【００３０】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００３１】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３２】
遊技盤６の裏面側には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３３】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動支持されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。また、このパチンコ機２全体の制御を行うためのメイン制御基板（図示せず。）や後述する開閉検出ユニット１からの配線が接続されるセンサ基板（図示せず。）も配置されている。
【００３４】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３５】
そのため、前面透明板１０の素材としては一般にガラスが使用されるが、もちろん透明アクリル等の樹脂材料が使用されてもよい。また、本実施の形態１においては、前面透明板１０が後述する装飾枠１２に保持されるが、前面透明板１０が遊技盤６の前面に取り付けられて、遊技盤６とともに機枠８に保持されるように構成されていてもよい。
【００３６】
装飾枠１２は、前面透明板１０又はその周囲を囲む装飾部材３２を保持するための枠体である。本実施の形態１においては、装飾枠１２は、前面透明板１０及び装飾部材３２の両方を保持している。その装飾枠１２は、機枠８の前面側に配置されてヒンジ部１８において機枠８とともに筐体枠４に軸支され、機枠８に対して前面開閉可能に揺動支持されている。
【００３７】
装飾枠１２は樹脂又は金属によって形成され、その中央部には前面透明板１０を取り付けるための取付け開口が形成されている。その前面透明板１０の周囲には、パチンコ機２を装飾するための造形・色彩・ランプが付された装飾部材３２が取り付けられ、パチンコ機２の遊技演出に寄与している。
【００３８】
なお、本実施の形態１では、筐体枠４に設けられたヒンジ部１８に機枠８及び装飾枠１２の両方が軸支される構成となっている。しかしながら、機枠８と装飾枠１２とがそれぞれ異なるヒンジ部によって軸支されていてももちろんよい。筐体枠４に機枠８を軸支するヒンジ部が設けられ、機枠８に装飾枠１２を軸支する別のヒンジ部が設けられていてももちろんよい。
【００３９】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４０】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４１】
施錠装置１は、枠体（筐体枠４、機枠８、装飾枠１２）を開閉可能又は不可能に、解錠又は施錠するためのものである。図２は、この施錠装置１の概略構造を模式的に示す構造図である。施錠装置１は、例えば機枠８に装着されており、キーシリンダ（シリンダ）１ａ、回転カム１ｂ、ステー１ｃを有して大略構成されている。
【００４２】
キーシリンダ１ａには鍵穴１ｄが形成されており、鍵穴１ｄに鍵（解錠鍵）３４が正しく挿入されると、鍵３４の回転によって回転カム１ｂが回転可能となるように構成されている。その回転カム１ｂの先端はステー１ｃの嵌合孔１ｆに遊嵌しており、回転カム１ｂの回転に連動してステー１ｃが上下動するように構成されている。
【００４３】
この施錠装置１においては、施錠時すなわち鍵３４が鍵穴１ｄに挿入されない場合に、回転カム１ｂが略水平位置（図中の位置Ｈ）となるように設定されている。この状態においては、ステー１ｃに設けられた係合爪１ｇが筐体枠４に設けられた係合孔４ａに係合しており、筐体枠４と機枠８とは施錠状態で閉鎖されている。また、ステー１ｃに設けられた係合爪１ｈも装飾枠１２に設けられた係合孔１２ａに係合しており、機枠８と装飾枠１２とは施錠状態で閉鎖されている。
【００４４】
鍵３４を鍵穴１ｄに挿入し、図中反時計方向に回転させると回転カム１ｂも図中反時計方向に回転する。それに伴い、回転カム１ｂの先端が嵌合孔１ｆを押し上げつつ上方に移動して図中の位置Ｕに位置する。それにより、ステー１ｃが上方に移動して係合爪１ｇと係合孔４ａとの係合が外れ、筐体枠４と機枠８とが解錠状態になるように構成されている。
【００４５】
また、鍵３４を図中時計方向に回転させると回転カム１ｂも図中時計方向に回転する。それに伴い、回転カム１ｂの先端が嵌合孔１ｆを押し下げつつ下方に移動して図中の位置Ｄに位置する。それにより、ステー１ｃが下方に移動して係合爪１ｈと係合孔１２ａとの係合が外れ、機枠８と装飾枠１２とが解錠状態になるように構成されている。
【００４６】
この施錠装置１の回転カム１ｂの回転は、不正開放検出装置３の一部としての回転センサ３６によって検出されるように構成されている。その不正開放検出装置３は、回転センサ３６、枠体開閉センサ３８、信号処理回路４０、警報ランプ（報知部）４２を有して大略構成されている。
【００４７】
回転センサ３６は、不正開放検出装置３の一部であり、本実施の形態１においてはフォトインタラプタを用いて構成されている。この回転センサ３６は、キーシリンダ１ａとともに回転する回転カム１ｂの回転を検出する機能を有している。すなわち、回転カム１ｂが位置Ｈにあるときには、回転カム１ｂの先端に形成された透光孔１ｅが回転センサ３６の検出光を透光させ、かつ、回転カム１ｂが位置Ｕや位置Ｄにあるときには、回転カム１ｂが回転センサ３６の検出光を遮光するように回転センサ３６が配置されている。
【００４８】
回転センサ３６は、回転カム１ｂがすべての枠体が施錠状態である位置Ｈに位置しているか、それともいずれかの枠体が解錠状態である位置Ｕ，Ｄに位置しているか、についての検出をすることができる。したがって、回転センサ３６の検出信号に基づいて、この施錠装置１が施錠されているのか解錠されているのかを判断することができるようになっている。
【００４９】
枠体開閉センサ３８は、不正開放検出装置３の一部であり、本実施の形態１においては、マイクロスイッチを用いて構成されている。図３は、本実施の形態１に係る枠体開閉センサ３８の外観斜視図である。この枠体開閉センサ３８は機枠８の上部に配置され、筐体枠４と機枠８との開放及び機枠８と装飾枠１２との開放の両方が検出可能とされている。
【００５０】
すなわち、枠体開閉センサ３８のうち第１センサ３８ａは機枠８に取り付けられてそのスイッチ部３８ｂが閉鎖状態の筐体枠４に付勢当接している。そして、筐体枠４と機枠８とが閉鎖状態にあるときはスイッチ部３８ｂが押し込まれて収縮状態（例えば、スイッチオン状態。）となっているが、機枠８が開放されると付勢が解除されてスイッチ部３８ｂが伸張する（例えば、スイッチオフ状態。）。それにより、筐体枠４と機枠８との開閉を検出することができるようになっている。
【００５１】
同様に、枠体開閉センサ３８のうち第２センサ３８ｃは機枠８に取り付けられてそのスイッチ部３８ｄが閉鎖状態の装飾枠１２に付勢当接している。そして、機枠８と装飾枠１２とが閉鎖状態にあるときはスイッチ部３８ｄが押し込まれて収縮状態（例えば、スイッチオン状態。）となっているが、装飾枠１２が開放されると付勢が解除されてスイッチ部３８ｄが伸張する（例えば、スイッチオフ状態。）。それにより、機枠８と装飾枠１２との開閉を検出することができるようになっている。このように、枠体開閉センサ３８によって、筐体枠４に対する機枠８の開放及び機枠８に対する装飾枠１２の開放を検出することができるようになっている。
【００５２】
本実施の形態１においては、枠体開閉センサ３８が２つのセンサ３８ａ，３８ｃを有しているが、１つのセンサ（例えば、１つのフォトインタラプタと筐体枠４及び装飾枠１２にそれぞれ付勢当接する２つの遮光部材）によってすべての枠体の開閉を検出してもよい。
【００５３】
また、説明容易のために枠体開閉センサ３８を機枠８の上部に配置した例について説明したが、機枠８の上部に限らず、その底部、側部、裏面側のいずれの部位にも配置可能である。取付け枠についても機枠８に限られず、いずれの枠体４，８，１２に取り付けられていてもよい。
【００５４】
信号処理回路４０は、機枠８に取り付けられた裏機構盤（図示せず）上に配置された回路基板上に設けられ、回転センサ３６及び枠体開閉センサ３８と接続さるとともに警報ランプ４２とも接続されている。信号処理回路４０は、回転センサ３６からの検出信号が透光状態（すなわち、施錠状態）を示すものであるにも拘わらず、枠体開閉センサ３８（３８ａ，３８ｃ）の少なくともいずれか一方からの検出信号が枠体の開放を示すものである場合、不正開放であるとの判断に基づき警報ランプ４２を点灯させる機能を有している。
【００５５】
一方、回転センサ３６からの検出信号が遮光状態（すなわち、解錠状態）を示すものである場合は、枠体開閉センサ３８（３８ａ，３８ｃ）からの検出信号が枠体の開放を示すものであっても、正常開放であるとの判断に基づき警報ランプ４２の消灯を維持する機能を有している。
【００５６】
このように、枠体４，８，１２が不正開放された場合は警報ランプ４２が点灯するので、店員はパチンコ機２が不正開放されたことを即座に把握することができる。したがって、遊技者による枠体の不正開放等を見逃すことなく確実に発見することができ、安全で快適な遊技の提供に寄与することができる。
【００５７】
一方、枠体４，８，１２が開放された場合であってもそれが施錠装置１の解錠による正常な開放の場合は警報ランプ４２が消灯状態を維持する。したがって、正常開放の場合に不正開放と誤認識して店員がパチンコ機２に駆け付けたり、遊技者に不当な疑義を生じてしまうことがない。店員の手間も削減することができる上に、遊技者も安心して遊技に専念することができる。
【００５８】
なお、警報ランプ４２の代わりに、又はそれとともにパチンコ機２が有するスピーカ（図示せず）によって警報音を発してももちろんよい。
【００５９】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００６０】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００６１】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００６２】
また、本実施の形態１においては、回転センサ３６としてフォトインタラプタを使用しているが、もちろん図４に示すように、回転センサ３６がマイクロスイッチであって、回転カム１ｂが位置Ｈにあるときにそのマイクロスイッチのスイッチ部３６ａが押し込まれて収縮し（例えば、スイッチオン状態。）、位置Ｕ，Ｄにあるときにスイッチ部３６ａが伸張する（例えば、スイッチオフ状態。）ように構成してもよい。
【００６３】
［実施の形態２］
図５（ａ），（ｂ），（ｃ）は、本発明の実施の形態２に係る枠体の不正開放検出装置５１の一部としての導通センサ（鍵挿入センサ）５２が組み込まれた施錠装置１のキーシリンダ１ａの断面図である。なお、この不正開放検出装置５１は、導通センサ５２と枠体開閉センサ３８とを有しており、枠体開閉センサ３８は、実施の形態１で説明したものと同様である。また、パチンコ機２の構成についても、回転センサ３６の代わりに導通センサ５２を有していること以外については実施の形態１と同様であるので、詳細な説明を省略する。
【００６４】
この導通センサ５２は、鍵３４が鍵穴１ｄに正常に挿入されたか否かを検出するためのものである。導通センサ５２は、複数の接点５２ａ，５２ｂを有しており、各接点５２ａ，５２ｂは周囲を絶縁体５３によって絶縁されている。したがって、図５（ａ）に示すように、接点５２ａに接続された配線５４と接点５２ｂに接続された配線５５とは、鍵３４の非挿入時には非導通状態である。なお、配線５４，５５は信号処理回路４０に接続されている。
【００６５】
しかし、図５（ｂ）に示すように、金属等の導電体で形成された鍵３４が正常に鍵穴１ｄに挿入されると、各接点５２ａ，５２ｂが鍵３４を介して導通され、配線５４，５５も導通状態となる。したがって、配線５４，５５間の導通状態を検出することにより、鍵穴１ｄに鍵３４が正常に挿入されたか否かを判断することができる。
【００６６】
なお、この施錠装置１に合致しない不正鍵３４ｂが鍵穴１ｄに挿入されても、図５（ｃ）に示すように、接点５２ａと接点５２ｂとが導通せず、配線５４，５５は導通状態とならない。
【００６７】
このように、導通センサ５２により鍵３４の正常な挿入を検出するとともに、枠体開閉センサ３８により枠体４，８，１２の開放を検出することにより、正常に鍵３４が挿入された上で枠体４，８，１２が開放された正常開放と、鍵３４が挿入されていないか不正鍵３４ｂが挿入された状態で枠体４，８，１２が開放された不正開放とを判別することができる。
【００６８】
［実施の形態３］
図６は、本発明の実施の形態３に係る不正開放検出プログラムを有する不正開放検出システムＳ及びそのシステムに接続されたパチンコ機２を示す概略ブロック図である。この不正開放検出システムＳは、コンピュータ６０、表示部６１を有して大略構成され、そのコンピュータ６０は、パチンコ機２の不正開放検出装置３と接続されている。
【００６９】
なお、この実施の形態３においては、不正開放検出装置３が回転センサ３６、導通センサ５２、枠体開閉センサ３８を有している場合について説明する。しかし、不正開放検出装置３が、導通センサ５２を有さずに回転センサ３６及び枠体開閉センサ３８を有して構成されていてもよいし、回転センサ３６を有さずに導通センサ５２及び枠体開閉センサ３８を有していてもよい。
【００７０】
導通センサ５２により鍵３４が正常に挿入されたことが検出され、回転センサ３６により施錠装置１が解錠されたことが検出され、かつ枠体開閉センサ３８により枠体４，８，１２が開放したことが検出された場合にのみ正常開放と判断するようにすれば、さらに一層確実に不正開放を把握することができる。
【００７１】
コンピュータ６０は、ＣＰＵ６２、記録装置としてのハードディスク６３、メインメモリ６４を有して構成されている。そのＣＰＵ６２は、コンピュータ６０の主要部としての情報処理ユニットであり、ハードディスク６３内に格納された不正開放検出プログラムＰの指令に基づいて枠体開閉検出部６２ａ，鍵挿入検出部６２ｂ、解錠検出部６２ｃ、不正開放判断部６２ｄとして機能する。表示部６１は、液晶ディスプレイ、ＣＲＴ等の情報表示装置であって、コンピュータ６０と接続されている。
【００７２】
枠体開閉検出部６２ａは、枠体開閉センサ３８からの検出信号に基づき、枠体が開放したか否かを判断してその判断結果を不正開放判断部６２ｄへと送信する機能を有している。鍵挿入検出部６２ｂは、導通センサ５２からの検出信号に基づき、鍵３４が鍵穴１ｄに正常に挿入されたか否かを判断してその判断結果を不正開放判断部６２ｄへと送信する機能を有している。解錠検出部６２ｃは、回転センサ３６からの検出信号に基づき、施錠装置１が解錠されたか否かを判断してその判断結果を不正開放判断部６２ｄへと送信する機能を有している。
【００７３】
そして、不正開放判断部６２ｄは、各検出部６２ａ〜６２ｃから送信された判断結果に基づいて、枠体の正常開放又は不正開放を判断し、その判断結果を表示部６１に表示させる機能を有する。具体的には、鍵挿入検出部６２ｂによって鍵３４が正常に挿入されたと判断され、解錠検出部６２ｃによって施錠装置１が解錠されたと判断され、かつ、枠体開閉検出部６２ａによって枠体４，８，１２の開放が判断された場合に、不正開放判断部６２ｄは正常開放と判断して、その旨を表示部６１に表示させる。
【００７４】
一方、枠体開閉検出部６２ａによって枠体４，８，１２の開放が判断された場合であって、鍵挿入検出部６２ｂによって鍵３４が正常に挿入されていないと判断された場合、又は解錠検出部６２ｃによって施錠装置１が解錠されていないと判断された場合、不正開放判断部６２ｄは不正開放と判断して、その旨を表示部６１に表示させる。
【００７５】
以上、本発明の好ましい実施の形態を説明したが、本発明はこれらに限定されるものではなく、その要旨の範囲内で様々な変形や変更が可能である。
【図面の簡単な説明】
【００７６】
【図１】本発明の実施の形態１に係る不正開放検出装置を有するパチンコ機の外観斜視図である。
【図２】図１に示すパチンコ機が有する施錠装置の概略構造を模式的に示す構造図である。
【図３】図１に示すパチンコ機が有する枠体開閉センサをパチンコ機上面から見た部分平面図である。
【図４】図１に示すパチンコ機の不正開放検出装置において、回転センサにマイクロスイッチを用いた例を示す構造図である。
【図５】本発明の実施の形態２に係る枠体の不正開放検出装置の一部としての導通センサが組み込まれた施錠装置のキーシリンダの断面図であって、（ａ）は、鍵が挿入されていない状態を示し、（ｂ）は鍵が挿入された状態を示し、（ｃ）は不正鍵が挿入された状態を示す。
【図６】本発明の実施の形態３に係る不正開放検出プログラムを有する不正開放検出システム及びそのシステムに接続されたパチンコ機を示す概略ブロック図である。
【符号の説明】
【００７７】
Ｄ，Ｈ，Ｕ：位置
Ｐ：不正開放検出プログラム
Ｓ：不正開放検出システム
１：施錠装置
１ａ：キーシリンダ（シリンダ）
１ｂ：回転カム
１ｃ：ステー
１ｄ：鍵穴
１ｅ：透光孔
１ｆ：嵌合孔
１ｇ，１ｈ：係合爪
２：パチンコ機（遊技機）
３：不正開放検出装置
４：筐体枠（筐体枠体）
４ａ：係合孔
６：遊技盤（遊技装置体）
６ａ：遊技盤面
６ｂ：遊技領域
８：機枠（第１枠体）
１０：前面透明板
１２：装飾枠（第２枠体）
１２ａ：係合孔
１４：上皿（貯留皿）
１４ｂ：球排出ボタン
１５：下皿
１６：発射ハンドル
１６ａ：強度調整杆
１８：ヒンジ部
２０：球（遊技媒体）
２２：レール
２４：ゲージ
２６：入賞口
２８：図柄表示装置
３０：アウト口
３２：装飾部材
３４：鍵（解錠鍵）
３４ｂ：不正鍵
３６：回転センサ（解錠センサ、不正開放検出装置の一部）
３８：枠体開閉センサ（不正開放検出装置の一部）
３８ａ：第１センサ
３８ｂ：スイッチ部
３８ｃ：第２センサ
３８ｄ：スイッチ部
４０：信号処理回路
４２：警報ランプ（報知部）
５１：不正開放検出装置
５２：導通センサ（鍵挿入センサ）
５２ａ，５２ｂ：接点
５３：絶縁体
６０：コンピュータ
６１：表示部（報知部）
６２：ＣＰＵ
６２ａ：枠体開閉検出部
６２ｂ：鍵挿入検出部
６２ｃ：解錠検出部
６２ｄ：不正開放判断部
６３：ハードディスク
６４：メインメモリ
【図１】
2008125775.tif 000003
【図２】
2008125775.tif 000004
【図３】
2008125775.tif 000005
【図４】
2008125775.tif 000006
【図５】
2008125775.tif 000007
【図６】
2008125775.tif 000008